(57)【特許請求の範囲】
【請求項１】
情報記録媒体を収容するトレイとしての反転トレイと、
この反転トレイを情報記録媒体の使用時にその内部に収容しておく装置本体と、
前記反転トレイを回動自在に保持すると共に所定の時点で反転トレイを装置本体から完全に離れた位置まで引き出す引き出し手段と、
この引き出し手段によって前記反転トレイが装置本体から完全に離れた位置まで引き出された状態でこれを反転位置まで回転させる回転手段と、
この回転手段による回転時に前記情報記録媒体が前記反転トレイから脱落させないようにこれを予め反転トレイに対して着脱自在に保持する保持手段と、
前記回転手段による前記反転トレイの反転が終了した時点でこれを前記装置本体に収容させる反転トレイ収容手段
とを具備することを特徴とするトレイ装置。
【請求項２】
情報記録媒体を収容するトレイとしての反転トレイと、
この反転トレイを情報記録媒体の使用時にその内部に収容しておく装置本体と、
前記反転トレイを回動自在に保持する反転トレイ保持手段と、
前記反転トレイが反転した状態でも情報記録媒体がこれから脱落しないように情報記録媒体を反転トレイに保持する情報記録媒体保持手段と、
前記反転トレイ保持手段に取り付けられたアームと、
所定の時点でこのアームを前記保持手段および反転トレイが装置本体から完全に離れた位置まで引き出すアーム引き出し手段と、
前記保持手段に取り付けられた前記反転トレイを回転させるための回転手段と、
前記アーム引き出し手段によって前記保持手段および反転トレイが装置本体から完全に離れた位置まで引き出された状態で回転手段を前記反転トレイの反転位置まで回転させる回転制御手段と、
この回転制御手段による前記反転トレイの反転が終了した時点で前記アームを元の位置に戻すことで前記反転トレイを前記装置本体に収容させるアーム復帰手段
とを具備することを特徴とするトレイ装置。
【請求項３】
情報記録媒体の片面における情報の書き込みが終了した時点を検出する記録終了検出手段を備え、前記所定の時点は、情報記録媒体の片面における情報の記録の終了した時点であることを特徴とする請求項１または請求項２記載のトレイ装置。
【請求項４】
情報記録媒体の片面における情報の読み出しが終了した時点を検出する読出終了検出手段を備え、前記所定の時点は、情報記録媒体の片面における情報の読み出しの終了した時点であることを特徴とする請求項１または請求項２記載のトレイ装置。
【請求項５】
前記情報記録媒体はカートリッジに納められており、このカートリッジが前記反転トレイから脱落しないように保持されることを特徴とする請求項１または請求項２記載のトレイ装置。
【請求項６】
前記情報記録媒体を前記反転トレイから脱落しないように保持する爪が反転トレイ側に設けられていることを特徴とする請求項１または請求項２記載のトレイ装置。
【発明の詳細な説明】
【０００１】
【発明の属する技術分野】
本発明はＤＶＤ等の情報記録媒体を収容するトレイ装置に係わり、特にトレイを反転させることのできるトレイ装置に関する。
【０００２】
【従来の技術】
ＣＤ（Compact Disc）、光ディスクあるいはＤＶＤ（Digital Versatile Disk）等の各種の平板状の情報記録媒体が色々な情報の記録および再生のために使用されている。このような情報記録媒体に情報を記録したり記録された情報を再生する場合、これを所定のドライブ装置にセットし、ピックアップを用いて情報の入出力を行うのが通常である。
【０００３】
情報記録媒体がたとえばＣＤのように片面に情報を書き込んだり、片面からのみ情報の読み出しを行うものであれば、ドライブ装置にセットしたこのような情報記録媒体を片面からアクセスすることで情報の入力や出力が可能である。ところが、情報記録媒体の記録する情報の大容量化が求められると、ＤＶＤに見られるように平板状の情報記録媒体の一方の面だけでなく他方の面に対しても、情報の記録や再生が可能なデバイスが登場してきている。たとえば一方の面だけで記録を行うことのできる情報記録媒体に対して、両面で記録の可能な情報記録媒体は単純計算で２倍の記憶容量を有することになる。
【０００４】
そこで、両面で情報の記録や再生が可能な平板状の情報記録媒体の使用が活発化している。このような情報記録媒体の両面に情報を書き込んだり読み出す場合には、一方の面の記録または読み出しが終了した後に他方の面の記録または読み出しを行う際に、ドライブ装置のピックアップに対してその情報記録媒体を反転させる必要がある。一例として、たとえば上方が全面的に開放されたトレイに情報記録媒体を載置して、この開放された空間からピックアップで情報記録媒体の上面に配置された情報をアクセスする場合を考えてみる。情報記録媒体の上面の記録または情報の読み出しが終了した段階でこのトレイを反転させると、開放された空間が下に向いた段階で情報記録媒体がトレイから落下してしまう。このように、両面で情報の記録や再生が可能な平板状の情報記録媒体はトレイごと単純に反転させることにすると、反転時にトレイから重力で落下してしまう。
【０００５】
このような問題が発生しないように各種の工夫が行われている。たとえば特開２０００−３０３３６号公報では、トレイに搭載されている情報記録媒体をトレイとは別個に保持する一対のアームを用意している。一対のアームは情報記録媒体をトレイから掴み取ると、それ自身が１８０度回転して情報記録媒体を表裏反転させる。そして、反転後の情報記録媒体をトレイに載置することで表裏両面での情報の読み書きを可能にしている。
【０００６】
また、特開２０００−４０２８４号公報では、ドライブ装置から第１のトレイを情報記録媒体を収容した状態で水平に取り出し、その上部の開放された空間に第１のトレイと同じ形状で上下逆となった第２のトレイを情報記録媒体を覆うように被せるようにしている。そして、この状態でこれら第１および第２のトレイと情報記録媒体を一緒に１８０度回転させて、今度は第２のトレイに情報記録媒体を重力で落下させて収容させる。この情報記録媒体が収容された第２のトレイをドライブ装置に戻すことで、情報記録媒体の表裏を反転させる。
【０００７】
また特開２０００−１４９４８３号公報では、ドライブ装置と搬送ホルダを介して情報記録媒体の受け渡しをする情報記録媒体カートリッジの内部に収容された情報記録媒体をカートリッジごとユニット外に取り出して、これを上下反転させて元に戻すことにより、複数の情報記録媒体を上下反転させることにしている。
【０００８】
更に特開平９−６３１７３号公報では、情報記録媒体のトレイを所定のカートリッジに係合させ、このカートリッジ内に情報記録媒体を移動させる。この後、カートリッジをドライブ装置から離れた位置まで移動させて反転させた後、元の位置まで戻してトレイにこの反転した状態で収容するようにしている。
【０００９】
【発明が解決しようとする課題】
ところが、特開２０００−３０３３６号公報に開示された技術では、円形状の情報記録媒体をアームで直接トレイから掴み取って回転させた後にトレイに戻すことにしている。このため、情報記録媒体を掴むアームの駆動装置に高精度を要求するだけでなく、情報記録媒体がこの回転の際に外部に露出するので傷や埃が付きやすいという問題がある。
【００１０】
また、特開２０００−４０２８４号公報に開示された技術では情報記録媒体を落下させることで第１および第２のトレイの間で収納箇所を入れ替えるので、ドライブ装置とは別に、ドライブ装置から引き出したトレイを収容し、この上に他のトレイを被せた後に回転させる機構が必要となる。したがって、ドライブ装置を含めたトレイ装置全体が大型化するという問題があった。
【００１１】
更に特開２０００−１４９４８３号公報に開示された技術では、ドライブ装置以外に搬送ホルダの搬送機構や情報記録媒体カートリッジならびにこの情報記録媒体カートリッジをユニット外で回転させる機構を必要とし、同様に装置の大型化を招くという問題があった。
【００１２】
最後に特開平９−６３１７３号公報に開示された技術では、ドライブ装置の横にカートリッジを置くスペースを必要とするだけでなく、この上方空間にカートリッジを回転させるスペースを必要とするので、同様に装置の大型化を招くという問題があった。
【００１３】
そこで本発明の目的は、装置のサイズを大型化する必要なく、しかも情報記録媒体の反転を安全に行うことのできるトレイ装置を提供することにある。
【００１４】
【課題を解決するための手段】
請求項１記載の発明では、（イ）情報記録媒体を収容するトレイとしての反転トレイと、（ロ）この反転トレイを情報記録媒体の使用時にその内部に収容しておく装置本体と、（ハ）反転トレイを回動自在に保持すると共に所定の時点で反転トレイを装置本体から完全に離れた位置まで引き出す引き出し手段と、（ニ）この引き出し手段によって反転トレイが装置本体から完全に離れた位置まで引き出された状態でこれを反転位置まで回転させる回転手段と、（ホ）この回転手段による回転時に情報記録媒体が反転トレイから脱落させないようにこれを予め反転トレイに対して着脱自在に保持する保持手段と、（ヘ）回転手段による反転トレイの反転が終了した時点でこれを装置本体に収容させる反転トレイ収容手段とをトレイ装置に具備させる。
【００１５】
すなわち請求項１記載の発明では、情報記録媒体を収容するトレイとしての反転トレイを、所定の時点でそれまで収容していた装置本体から完全に離れた位置まで引き出し、装置本体が邪魔にならないこの場所で反転トレイを反転させる。このとき反転トレイから情報記録媒体が脱落しないように、反転時には情報記録媒体が脱落せず、しかも情報記録媒体を着脱できる保持手段が備えられている。回転手段による反転トレイの反転が終了したら、反転トレイ収容手段がこの反転トレイを装置本体に再び収容するので、情報記録媒体の他の面から情報を読み込んだり、これに情報を書き込むことができる。
【００１６】
請求項２記載の発明では、（イ）情報記録媒体を収容するトレイとしての反転トレイと、（ロ）この反転トレイを情報記録媒体の使用時にその内部に収容しておく装置本体と、（ハ）反転トレイを回動自在に保持する反転トレイ保持手段と、（ニ）反転トレイが反転した状態でも情報記録媒体がこれから脱落しないように情報記録媒体を反転トレイに保持する情報記録媒体保持手段と、（ホ）反転トレイ保持手段に取り付けられたアームと、（へ）所定の時点でこのアームを保持手段および反転トレイが装置本体から完全に離れた位置まで引き出すアーム引き出し手段と、（ト）保持手段に取り付けられた反転トレイを回転させるための回転手段と、（チ）アーム引き出し手段によって保持手段および反転トレイが装置本体から完全に離れた位置まで引き出された状態で回転手段を反転トレイの反転位置まで回転させる回転制御手段と、（リ）この回転制御手段による反転トレイの反転が終了した時点でアームを元の位置に戻すことで反転トレイを装置本体に収容させるアーム復帰手段とをトレイ装置に具備させる。
【００１７】
すなわち請求項２記載の発明では、情報記録媒体を収容するトレイとしての反転トレイを、所定の時点でそれまで収容していた装置本体から完全に離れた位置までアームによって引き出し、装置本体が邪魔にならないこの場所で反転トレイを反転させる。このとき反転トレイから情報記録媒体が脱落しないように、反転時には情報記録媒体が脱落せず、しかも情報記録媒体を着脱できる保持手段が備えられている。回転手段による反転トレイの反転が終了したら、アーム復帰手段がアームを元の位置に戻すことで反転トレイを装置本体に再び収容する。したがって、情報記録媒体の他の面から情報を読み込んだり、これに情報を書き込むことができる。
【００１８】
請求項３記載の発明では、請求項１または請求項２記載のトレイ装置で、情報記録媒体の片面における情報の書き込みが終了した時点を検出する記録終了検出手段を備え、所定の時点は、情報記録媒体の片面における情報が記録の終了した時点であることを特徴としている。
【００１９】
すなわち請求項３記載の発明では、トレイ装置は記録終了検出手段で情報記録媒体の片面における情報の書き込みが終了した時点を検出し、反転トレイを反転させて再度装置本体に収容することで、他の面での情報の書き込みも可能にし、自動的に情報記録媒体の両面に情報の書き込みができるようにしている。
【００２０】
請求項４記載の発明では、請求項１または請求項２記載のトレイ装置で、情報記録媒体の片面における情報の読み出しが終了した時点を検出する読出終了検出手段を備え、所定の時点は、情報記録媒体の片面における情報の読み出しが終了した時点であることを特徴としている。
【００２１】
すなわち請求項４記載の発明では、トレイ装置は記録終了検出手段で情報記録媒体の片面における情報の読み出しが終了した時点を検出し、反転トレイを反転させて再度装置本体に収容することで、他の面での情報の読み出しも可能にし、自動的に情報記録媒体の両面に情報の読み出しができるようにしている。
【００２２】
請求項５記載の発明では、請求項１または請求項２記載のトレイ装置で、情報記録媒体はカートリッジに納められており、このカートリッジが反転トレイから脱落しないように保持されることを特徴としている。
【００２３】
すなわち請求項５記載の発明では、反転トレイに着脱自在に保持される情報記録媒体はカートリッジに納められているタイプであることを示している。カートリッジに納められているタイプであるので、カートリッジの部分に反転トレイに装着するための爪等を配置することができる。
【００２４】
請求項６記載の発明では、請求項１または請求項２記載のトレイ装置で、情報記録媒体を反転トレイから脱落しないように保持する爪が反転トレイ側に設けられていることを特徴としている。
【００２５】
すなわち請求項６記載の発明では、請求項５記載の発明とは異なり、情報記録媒体を反転トレイから脱落しないように保持する爪が反転トレイ側に設けられている。したがって、カートリッジを使用しない情報記録媒体についても本発明を適用することができる。
【００２６】
【発明の実施の形態】
【００２７】
【実施例】
以下実施例につき本発明を詳細に説明する。
【００２８】
図１は本発明の一実施例におけるトレイ装置を正面から見たものである。トレイ装置１１は、市販あるいは自作のコンピュータに内蔵されるＣＤあるいはＤＶＤドライブ装置と同様の直方体の形状をしており、その正面から見た高さｈは通常のこれらのドライブ装置と同等かこれよりも若干大きくなっている。本実施例のトレイ装置１１は、ＤＶＤ等の情報記録媒体１２を収容した反転トレイ１３を反転トレイ部１４内に進退自在に配置している。情報記録媒体１２は、装置本体１５内部の反転トレイ部１４の直下の部分に配置されたピックアップユニット１６によって情報の読み書きを行うことができるようになっている。装置本体１５内部奥側には、反転トレイ１３を反転させるための反転トレイモータ１７や反転トレイ１３の反転の有無を検出する反転トレイセンサ１８が配置されている。情報記録媒体１２にはこれを反転トレイ１３内に保持するための伸縮爪１９が配置されている。なお、この図では反転トレイモータ１７を図示の都合で反転トレイ部１４の左側部に表示しているが実際には装置本体１５の内部奥側に配置されている。
【００２９】
装置本体１５の下部には反転トレイ部１４の各種制御を行うための反転トレイ制御部２１が配置されている。反転トレイ制御部２１には、情報記録媒体１２の記録または再生の終了を検出する記録再生終了検出部２２と、反転トレイ部１４の開閉を制御するトレイ開閉制御部２３と、反転トレイモータ１７の回転制御を行う反転トレイモータ制御部２４が配置されている。反転トレイ部１４の直下の位置には、反転トレイ部１４の開閉を検出するトレイ開閉センサ２６が配置されている。反転トレイ制御部２１は、図示しないがＣＰＵ（中央処理装置）と、制御用のプログラムを格納したＲＯＭ（リード・オンリ・メモリ）と、各種制御を行う際に使用するデータを一時的に格納するＲＡＭ（ランダム・アクセス・メモリ）からなる作業用メモリを備えており、トレイ開閉制御部２３等の各部の制御を実現している。
【００３０】
このような本実施例のトレイ装置１１では、ピックアップユニット１６から得られる記録再生情報信号３１が記録再生終了検出部２２に入力されるようになっており、記録または再生の終了が検出される。記録再生終了検出部２２の出力する記録再生終了検出信号３２がトレイ開閉制御部２３に入力されると、トレイ開閉センサ２６から出力されるトレイ開閉情報信号３３を監視しながらトレイ開閉制御部２３はトレイ開閉制御信号３４を反転トレイ部１４に出力して反転トレイ１３の反転制御を行うようになっている。このとき、反転トレイモータ制御部２４は反転トレイモータ１７の回転制御を行うが、この制御にはトレイ開閉制御部２３が関与する。すなわち、反転トレイモータ制御部２４は反転トレイモータ１７に対して反転トレイモータ制御信号３５を送出すると共に、反転トレイセンサ１８から反転トレイ情報信号３６を入力し、また、図示しない装置の操作パネルから情報記録媒体１２の取り出しが指示されたときには外部イジェクト要求信号３７を入力する。そして、反転トレイ部１４の動作状況を示す反転トレイ動作信号３８をトレイ開閉制御部２３に与えて、トレイ開閉終了を示すトレイ開閉終了信号３９を受け取ることになる。これらの制御動作については後に詳しく説明する。
【００３１】
図２は、本実施例のトレイ装置の装置本体から反転トレイ部が引き出されて反転トレイが回転している状態を表わしたものである。装置本体１５に対して進退自在に配置された反転トレイ部１４は、水平に配置された枠の形状を有しており、その先端部１４Ａの中央部には反転トレイ１３を前後の２箇所で回動自在に保持する回転軸４１が取り付けられている。先端部１４Ａの左右両端からは先端部１４Ａの面と直交する方向に２本のアーム１４Ｂ、１４Ｃが出ており、これらは装置本体１５の反転トレイ部１４を収容する開口部４２からわずかに突出した後端部１４Ｄと連結されている。後端部１４Ｄの中央部分には図示しない回転軸の一端が取り付けられており、この他端は装置本体１５の奥側に突出していて、この部分が図１に示した反転トレイモータ１７の駆動力を受けて、回転するようになっている。２本のアーム１４Ｂ、１４Ｃは、反転トレイ部１４が引き出されていない状態で開口部４２内に収容されているが、反転トレイ１３を回転させる状態で図示しない引出し機構によってこの図に示したように開口部４２から突き出されるようになっている。
【００３２】
反転トレイ１３は、情報記録媒体１２を収容する大きさの枠形状をしており、枠の両サイドは開放されている。このような反転トレイ１３は、反転トレイ部の後端部１４Ｄに近接した枠部材１３Ａの内面における表裏双方の端部に爪部材４３、４４（図では表裏のうちの一方のみを示している。）を突出させている。
【００３３】
図３は反転トレイの奥側の左端部における爪部材の配置を示したものである。図示していない右端部の配置も同様である。このような合計４箇所の爪部材４３、４４（図２も参照）の間の空間に図２に示した情報記録媒体１２の一端部を配置することで、この端部側が反転トレイ１３の表裏両方から離脱しないようにすることができる。
【００３４】
もちろん、これだけでは枠部材１３Ａの他端側から情報記録媒体１２が離脱してしまう。これを防止するのが図２に示した伸縮爪１９である。伸縮爪１９は情報記録媒体１２の側方から外側に伸縮自在に突出しており、これが反転トレイ１３の枠部材１３Ｂの図示しない凹部に嵌まり込む。これにより、情報記録媒体１２は反転トレイ１３が表裏いずれに位置した状態でもこれに確実に保持されることになる。
【００３５】
図４は、情報記録媒体における伸縮爪の配置された部分を拡大して示したものである。情報記録媒体１２の図で右端部１２Ａには、その内部に所定の厚さの長方形の平板が図で横方向に出し入れ自在の間隙５１が設けられている。この間隙５１の内部にはバネ５２と、これによって図で右方向に押し出す力を与えられた伸縮爪１９が挿入されている。間隙５１に対応する情報記録媒体１２の表面部分にはスリット５４が配置されており、伸縮爪１９の一部に設けられた突起５５がこのスリット５４からわずかな高さだけ突出している。
【００３６】
図示のように伸縮爪１９に何らの外力も作用していない状態で、突起５５はスリット５４におけるバネ５２から最も遠ざかった位置まで来て静止している。トレイ装置１１の使用者は、突起５５をこのスリット５４の他端に移動させることができ、これにより伸縮爪１９の先端部分１９Ａを情報記録媒体の右端部１２Ａとほぼ同じ位置まで間隙５１内部に引っ込めることができる。
【００３７】
したがって、トレイ装置１１の使用者は情報記録媒体１２を反転トレイ１３に装着する場合には、まず情報記録媒体１２を反転トレイ１３方向に傾斜させた状態で、その先端部１２Ｂ（図２）を枠部材１３Ａに取り付けられた爪部材４３、４４の間に挟み込む。そして、突起５５を操作して伸縮爪１９を引っ込めた状態で残りの部分を反転トレイ１３に収容する。この状態で突起５５から手を離せば、伸縮爪１９が反転トレイの枠部材１３Ｂの前記した凹部に嵌まり込み、情報記録媒体１２の装着が完了する。
【００３８】
図５は、反転トレイ制御部による制御の様子を表わしたものである。ここでは図１等に示した情報記録媒体１２がトレイ装置１１にセットされており、図示しない操作パネルあるいは図示しないキーボード等を用いて情報の読み取りが行われる場合を説明する。反転トレイ制御部２１内の前記したＣＰＵは、使用者が操作パネル等を使用して情報の読み取りを指示すると（ステップＳ６１：Ｙ）、まずパラメータｎを“１”にセットする（ステップＳ６２）。そして、図１に示したピックアップユニット１６を用いて情報記録媒体１２から情報の読み取りを開始する（ステップＳ６３）。ここでパラメータｎは情報記録媒体１２の読取面あるいは書込面の制御に使用されるものであり、片面のみの情報の読み取りまたは書き込みが行われる場合には、パラメータｎを“２”に設定するようになっている。
【００３９】
図１に示した記録再生終了検出部２２は、再生される情報を観察することによって、情報記録媒体１２の第１面による再生が終了することを検出するようになっている（ステップＳ６４）。情報の読み取りの終了が検出されると（Ｙ）、ＣＰＵはピックアップユニット１６による読取動作を終了させ、トレイ開閉制御部２３が反転トレイ部１４に対してトレイを開く（引き出す）操作を指示する。これを基にして、図示しないトレイ開閉モータが反転トレイ部１４を引き出す操作を行う（ステップＳ６５）。この操作は、反転トレイ部１４が図２に示した位置まで引き出されたことをトレイ開閉センサ２６が検出するまで行われる（ステップＳ６６）。
【００４０】
反転トレイ部１４が引き出されてトレイを開く操作が終了すると（Ｙ）、ＣＰＵはパラメータｎが“１”であるかどうかをチェックする（ステップＳ６７）。“１”であれば情報記録媒体１２の第１面による再生が終了し第２面の読み取りが開始されるべきことを意味する。そこでこの場合には（Ｙ）、反転トレイモータ制御部２４が反転トレイ１３の反転制御を開始する（ステップＳ６８）。具体的には、反転トレイモータ制御部２４が反転トレイモータ１７に駆動信号としての反転トレイモータ制御信号３５を送出し、反転トレイセンサ１８が反転の終了を検出し反転トレイ情報信号３６でこれを通知するまで反転トレイモータ１７を回転させる（ステップＳ６９）。
【００４１】
反転トレイセンサ１８が反転の終了を検出すると（Ｙ）、トレイ開閉制御部２３が今度は反転トレイ部１４を装置本体１５（図１）に再び収納するためにトレイを閉じる操作を指示する。これにより前記したトレイ開閉モータが反転トレイ部１４を閉じる操作を行う（ステップＳ７０）。この操作は反転トレイ部１４が完全に装置本体１５に収納されたことをトレイ開閉センサ２６が検出するまで行われる（ステップＳ７１）。このようにして反転トレイ部１４が完全に装置本体１５に収納されると（Ｙ）、ＣＰＵはパラメータｎを“１”だけカウントアップして“２”とする（ステップＳ７２）。
【００４２】
この後、ステップＳ６３に戻ってピックアップユニット１６によって情報記録媒体１２の第２面に対する情報の読み取りが開始される。読み取りが終了すると（ステップＳ６４：Ｙ）、反転トレイ部１４が開かれ（ステップＳ６５、Ｓ６６）、ＣＰＵはパラメータｎが“１”であるかどうかをチェックする（ステップＳ６７）。この場合には“１”ではないので、すべての面の情報の読み出しが終了したことになる。そこで、すべての制御が終了する（エンド）。使用者は次の情報記録媒体１２の読み取りを行う場合には、情報記録媒体１２を新しいものに交換して、再び情報記録媒体１２の読み取りを指示すればよい。これにより、ステップＳ６１からの処理が再度開始することになる。
【００４３】
第１の変形例
【００４４】
図６は本発明の第１の変形例として情報記録媒体における伸縮爪の配置された部分を拡大したものである。この変形例では情報記録媒体１２の側部から、爪８１が突出している。この爪８１は情報記録媒体１２の内部に配置された軸８２によって回動自在とされており、基部８１Ａ側に一端を取り付けたバネ部材８３によって図示のように爪８１の先端部分が情報記録媒体１２の側部から突出する習性を与えられている。
【００４５】
この変形例に示したような各種の伸縮自在あるいは開閉自在の爪または突起を用いて、情報記録媒体１２をトレイに保持することが可能である。
【００４６】
第２の変形例
【００４７】
図７は本発明の第２の変形例におけるトレイ装置からトレイが引き出された状態を示したものである。実施例および先の第１の変形例で使用された記録媒体は、それらの一部に伸縮自在あるいは開閉自在の爪または突起を保持する機構を備えている。したがって、これらの記録媒体は、記録媒体自体というよりは爪または突起を保持する機構を備えたカートリッジに記録媒体自体が格納されているようなものとなる。通常の市販されている記録媒体は、このような特別のトレイ装置に対する爪または突起といった付属物を備えていない。本発明の第２の変形例および次に説明する第３の変形例はこのように一般的な記録媒体に対応できるトレイ装置を示している。なお、これらの変形例で先の実施例と同一部分には同一の符号を付しており、これらの部分の説明を適宜省略する。
【００４８】
図７に示した第２の変形例のトレイ装置１１Ａでは、装置本体１５Ａから進退自在に引き出された２本のアーム１４Ｂ、１４Ｃの先端に固定された先端部１４ＡＡの中央付近に、反転トレイモータ１１１が配置されている。図示しない歯車機構によって反転トレイモータ１１１の出力を減速した状態で回転する回転軸１１２は、反転トレイ板１１３の先端部に取り付けられている。反転トレイモータ１１１の駆動によって回転軸１１２が回転すると、回転軸１１２の延長線を回転中心として反転トレイ板１１３が回転するようになっている。
【００４９】
反転トレイ板１１３はプラスチック製で、その中央部とこれから装置本体１５Ａに向かう所定幅の領域１１４は、通常のＣＤあるいはＤＶＤトレイと同様に切り欠かれている。反転トレイ板１１３は、その周囲の四辺が情報記録媒体１１５の厚さよりも僅かに高くなっており、壁部１１６を構成している。先端部１４ＡＡの反対側としての反転トレイ板１１３の後端に位置する壁部１１６Ａ、１１６Ｂには、第１および第２の爪１１７、１１８が取り付けられている。これら第１および第２の爪１１７、１１８と反転トレイ板１１３の底部との間に、情報記録媒体１１５の差し込み側の端部１１５Ａを差し込むことができるようになっている。
【００５０】
反転トレイ板の両側壁部１１６Ｃ、１１６Ｄにおける先端部１４ＡＡの近傍には、第１および第２の伸縮爪１２１、１２２が取り付けられている。情報記録媒体１１５の差し込み側の端部１１５Ａを壁部１１６Ａ、１１６Ｂの空間に差し込み、第１および第２の伸縮爪１２１、１２２を壁部１１６に押し込めた状態で情報記録媒体１１５の差し込み側と反対側の端部１１５Ｂを反転トレイ板１１３の底部に押し付けると、第１および第２の爪１１７、１１８ならびに第１および第２の伸縮爪１２１、１２２の４点で情報記録媒体１１５が反転トレイ板１１３に拘束されることになる。
【００５１】
図８は、第１の伸縮爪の構成を具体的に表わしたものである。第２の伸縮爪１２２は第１の伸縮爪１２１と構造的に左右対称となっているので、この詳細な図示および説明は省略する。第１の伸縮爪１２１は、側壁部１１６Ｃに開けられた円筒状の空隙部１１６ＣＡにその基部側が挿抜自在とされた半球状をした爪部１２１Ａと、この爪部１２１Ａの前記した基部側に設けられ空隙部１１６ＣＡに収容されたバネ部材１２１Ｂとにより構成されている。
【００５２】
したがって、反転トレイ板の両側壁部１１６Ｃ、１１６Ｄを両手で両側から摘んだような状態で、親指で図７に示した情報記録媒体１１５を反転トレイ板１１３の底部に向けて強く押し付けると、爪部１２１Ａがバネ部材１２１Ｂを圧縮して情報記録媒体１１５が反転トレイ板１１３に完全に収容され、固定される。この固定状態で反転トレイ板１１３が回転しても、情報記録媒体１１５がこれから脱落することはない。
【００５３】
情報記録媒体１１５を反転トレイ板１１３から取り外すには、反転トレイ板の両側壁部１１６Ｃ、１１６Ｄを両手で両側から摘んだような状態で、反転トレイ板１１３の裏側から領域１１４を中指等で上側に強く突き上げるような力を与えればよい。これにより、図８に示した爪部１２１Ａが一時的に空隙部１１６ＣＡに引っ込んで、情報記録媒体１１５が反転トレイ板１１３から飛び上がるように離脱する。
【００５４】
第３の変形例
【００５５】
図９は本発明の第３の変形例におけるトレイ装置からトレイが引き出された状態の要部を示したものである。この変形例では図９にも示したようにＣＤあるいはＤＶＤ等の円板状の情報記録媒体１２５を使用している。この情報記録媒体１２５を収容する反転トレイ板１２３は、情報記録媒体１２５の直径よりもわずかに大きく、かつその厚さよりも十分に深い円板状窪み１２３Ａを備えている。この円板状窪み１２３Ａにおける図示しない装置本体側（図で上端側）は、互いに１２０度の間隔を置いて第１および第２の固定爪１２６、１２７が配置されている。これらは通常のＣＤあるいはＤＶＤトレイに設けられているものと類似しているが、円板状窪み１２３Ａへの突出量がやや長くなっている。これは、通常のＣＤあるいはＤＶＤトレイではＣＤあるいはＤＶＤが垂直に配置される状態を想定すればよいのに対して、本発明の場合には反転トレイ板１２３が図７で示したような回転機構によって反転されるので、この状態でもＣＤあるいはＤＶＤの脱落を防止するためである。
【００５６】
第１および第２の固定爪１２６、１２７から共に１２０度離れた円板状窪み１２３Ａの周辺部は、ちょうど反転トレイ板１２３の先端壁部１１６Ｅに隣接している。先端壁部１１６Ｅにおけるこの隣接箇所には、図８で説明したと同じ構造の伸縮爪１４２が伸縮自在に配置されている。
【００５７】
したがって、この変形例で反転トレイ板１２３に円板状の情報記録媒体１２５を装着する場合には、まず円板状の情報記録媒体１２５の図示しない装置本体側の端部を、円板状窪み１２３Ａにおける第１および第２の固定爪１２６、１２７の下の空間に潜り込ませる。そして反転トレイ板１２３の下側を手で支えながら、情報記録媒体１２５の反対側の周辺部をトレイ面に押し付ける。これにより、伸縮爪１４２が一時的に先端壁部１１６Ｅに押し込まれ、再び突出することで円板状の情報記録媒体１２５を保持する。この際、第１および第２の固定爪１２６、１２７および突出した伸縮爪１４２は、反転トレイ板１２３に重力で保持されている情報記録媒体１２５の上面よりも更に上の位置にある。したがって、反転トレイ板１２３に収容された情報記録媒体１２５が装置本体内部でその回転を阻害されることはない。
【００５８】
伸縮爪１４２を使用することで前記したように第１および第２の固定爪１２６、１２７を反転トレイ板１２３のより中心方向に突出可能とした。したがって、図７に示したような反転機構によって反転トレイ板１２３を反転させても情報記録媒体１２５が脱落することはない。情報記録媒体１２５を反転トレイ板１２３から取り外す操作は、先の第２の変形例と同様に行えばよい。
【００５９】
なお、実施例ではＣＰＵがパラメータｎのチェックを行うステップをトレイが開いた時点で行うことにしたが、情報の読み取りが終了した時点（図５ステップＳ６４：Ｙ）等の他の時点で行うようにしてもよい。また、実施例では情報記録媒体１２について第１面と第２面の双方を読み取った時点で情報の読取操作を終了させたが、たとえば音楽をエンドレスに聴く場合のように更に第１面に戻って情報の読み取りを継続したい場合には図５におけるステップＳ６２、ステップＳ６７およびステップＳ７２の処理を省略するようにすればよい。この場合には、使用者が操作パネル等から情報の読み取りを終了させる旨の指示を行うまで、情報の読み取りが継続して行われることになる。
【００６０】
また、実施例では情報記録媒体１２からの情報の読み出しについて説明したが、情報の書き込みを行う場合も同様の制御を行うことができる。更に、複数の情報記録媒体１２に対して情報の書き込みを連続的に行う場合には、特開２０００−１４９４８３号公報等に開示されているようにトレイが開いた状態で情報記録媒体１２を交換する装置を付加すればよい。
【００６１】
また実施例および変形例で説明した伸縮爪等の爪およびこれらの配置位置については各種の変形を行うことができることは当然である。反転トレイ板の形状についても同様である。
【００６２】
【発明の効果】
以上説明したように請求項１〜請求項６記載の発明によれば、トレイごと情報記録媒体を反転させる反転トレイを用意し、これが装置本体の邪魔にならない場所まで移動させた後に回転させて、元の装置本体に戻すことにした。したがって、従来の装置に比べてサイズを小型化しコストダウンに貢献することができる。
【００６３】
また、請求項２記載の発明によれば、反転トレイを回動自在に保持する反転トレイ保持手段にアームを付けておき、アームを引き出して反転トレイを反転させた後に装置本体の元の場所に戻すことで２つの面に書き込まれた情報を読み出したり、反対に情報記録媒体の２面認証情報の読み込みを行うことができる。
【００６４】
更に請求項３記載の発明によれば、情報記録媒体の片面における情報の書き込みが終了した時点を検出する記録終了検出手段を備えたので、情報記録媒体の片面における情報の記録が終了した時点で他の面に切り替えることができ、双方の面に情報を書き込む作業を自動化すると共に短持間で行うことができるようになる。
【００６５】
請求項４記載の発明では、情報記録媒体の片面における情報の読み出しが終了した時点を検出する記録終了検出手段を備えたので、情報記録媒体の片面における情報の読み出しが終了した時点で他の面に切り替えることができ、双方の面に情報を読み出す作業を自動化すると共に短持間で行うことができるようになる。
【図面の簡単な説明】
【図１】本発明の一実施例におけるトレイ装置を正面から見た正面図である。
【図２】本実施例のトレイ装置の装置本体から反転トレイ部が引き出されて反転トレイが回転している状態を表わした要部斜視図である。
【図３】本実施例で反転トレイの奥側の左端部における爪部材の配置を示した要部斜視図である。
【図４】本実施例で情報記録媒体における伸縮爪の配置された部分を拡大して示した平面図である。
【図５】本実施例で反転トレイ制御部による制御の様子を表わした流れ図である。
【図６】本発明の第１の変形例として情報記録媒体における伸縮爪の配置された部分を拡大して示した平面図である。
【図７】本発明の第２の変形例におけるトレイ装置からトレイが引き出された状態を示した平面図である。
【図８】第２の変形例における第１の伸縮爪の構成を具体的に表わした断面図である。
【図９】本発明の第３の変形例におけるトレイ装置からトレイが引き出された状態の要部を示した平面図である。
【符号の説明】
１１  トレイ装置
１２、１１５、１２５  情報記録媒体
１３  反転トレイ
１４  反転トレイ部
１５  装置本体
１６  ピックアップユニット
１７、１１１  反転トレイモータ
１８  反転トレイセンサ
１９、１２１、１２２、１４２  伸縮爪
２１  反転トレイ制御部
２３  トレイ開閉制御部
２４  反転トレイモータ制御部
４１  回転軸
４３、４４  爪部材
８１、１１７、１１８  爪
１１３、１２３  反転トレイ板
１１６  壁部
１２６、１２７  固定爪
【図１】
0003709360.tif 000002
【図２】
0003709360.tif 000003
【図３】
0003709360.tif 000004
【図４】
0003709360.tif 000005
【図５】
0003709360.tif 000006
【図６】
0003709360.tif 000007
【図７】
0003709360.tif 000008
【図８】
0003709360.tif 000009
【図９】
0003709360.tif 000010